(57)【要約】  【課題】  簡単な構成で、夜間金庫内の物品を回転扉５の箇所から吊り上げるのを防止する。  【解決手段】  上下回動する回転扉５の内面に投入筒１７の外側及び投入口１２を囲んで夜間投入金庫内に連通するようにガードカバー１６を設ける。投入筒１７の出口２０を塞ぐように上端で回動可能な閉止蓋体２１の背面に側面視三角状の規制体２３を突設する。回転扉５が全閉止のとき、投入筒の出口２０は斜め下向きに開口し、且つ閉止蓋体２１はその下部側で出口２０に対して離間する。回転扉５を開く途次及び全開時に、規制体２３の最大突出部２３ａがガードカバーに当接または近接して閉止蓋体２１が開き不能となる。出口２０下端の鋸歯状の第１吊り上げ防止片２４と、閉止蓋体２１の下端の鋸歯状の第２吊り上げ防止片２５とにより、回転扉５が全閉に近い状態で、投入筒１７内を通って吊下ろした紐３２が開いた出口２０からフック３３で物品９を吊上げるのを防止できる。  【選択図】図６
2006152668.tif 000002
【特許請求の範囲】
【請求項１】
夜間投入金庫の側面または近傍に配置された投入口を開閉する回転扉を設け、
投入筒を前記回転扉の開閉動に応じて前記夜間投入金庫内で上下回動可能に設け、
前記回転扉の開き時に前記投入筒の入口が前記投入口に臨むように構成してなる夜間投入金庫において、
前記投入口を囲んで前記夜間投入金庫内に連通するようにガードカバーを設け、このガードカバー内には、投入筒を前記回転扉の開閉動に応じて前記ガードカバー内で上下回動可能に設け、
前記投入筒には、その出口を開閉可能にする閉止蓋体を設け、
前記閉止蓋体には、前記回転扉を開く途次及び全開時に、前記ガードカバーに当接または近接して前記閉止蓋体が前記投入筒の出口を塞いで開き不能となる規制体を設けたことを特徴とする夜間金庫。
【請求項２】
前記回転扉が前記投入口に対して閉止状態にあるとき、前記投入筒の出口は斜め下向きに開口しており、且つ前記閉止蓋体はその下部側で前記出口に対して離間するように、前記投入筒の背面側に回動可能に装着されていることを特徴とする請求項１に記載の夜間金庫。
【請求項３】
前記投入筒の出口下端及び前記閉止蓋体の下端には、それぞれ外向きに湾曲させた鋸歯状の吊り上げ防止片が設けられていることを特徴とする請求項１または２に記載の夜間金庫。
【請求項４】
前記回転扉はその下端側を中心に開閉回動可能に設けられ、
前記投入筒は前記回転扉の内面に固定されていることを特徴とする請求項１乃至３のいずれかに記載の夜間金庫。
【発明の詳細な説明】
【技術分野】
【０００１】
本発明は、夜間金庫の構成に係り、より詳しくは、夜間金庫に収められている現金入りの鞄などの物品を投入口から吊り上げできないようにした夜間金庫の構造に関するものである。
【背景技術】
【０００２】
従来から、この種の夜間金庫において、鞄などの物品をフック突き紐で投入口から吊り上げするのを防止する構成として、例えば、特許文献１では、夜間金庫の投入口を開閉できる開閉扉（回転扉）の内面に、上下に連通する投入筒を固定する。そして、開閉扉を全開した状態では投入筒は傾斜姿勢となり、投入筒の上側の入口が投入口に臨み、投入筒の下端の出口は、夜間金庫内の側断面円弧状の背板の内面と微小隙間を隔てて対面するように構成されている。その場合、開閉扉の内面であって、投入筒の入口より上側に横断面コ字型の第１咬合板を後向き開放状に設け、夜間金庫の内部には、開閉扉を閉じたとき、前記第１咬合板に挿入するように第２咬合板が設けられている。また、投入筒の出口の下端には、開閉扉が開いた状態のとき、前記背板の内面に向かうように鋸歯が設けられている。さらに、開閉扉を閉じたとき、前記投入筒の下端の出口からの物品を夜間金庫の内部に導入するためのシュートの下端に吊り上げ用の紐が引っ掛かるようにした鋸歯を設けたり、前記シュートの入口側の内径部に向かって突出するバー状の邪魔板を移動可能に設けたものが知られている。
【特許文献１】特開昭５５−８５７８５号公報（図１〜図４参照）
【発明の開示】
【発明が解決しようとする課題】
【０００３】
特許文献１では、投入筒の出口の下端に設けられた鋸歯だけでは、開閉扉を開いた状態で、下端にフックを取り付けた紐を投入筒内に落とし込み、次いで、開閉扉をほぼ閉止した状態（開閉扉の上端縁と投入口との間に前記紐を動かせるだけの隙間を作った状態）で、前記紐を操作して、夜間金庫内の鞄等の物品をフックで係止し、紐を引き出して鞄等の物品がほぼ垂直状の投入筒内に収まるように吊り上げ保持する不正行為時には、前記鋸歯に紐やフックが引っ掛かることがない。従って再度開閉扉を大きく開けば、前記投入筒内に吊り上げた鞄等の物品を簡単に取り出せて、防犯効果が薄いという問題があった。そこで、特許文献１では、投入筒の上側での第１咬合板と第２咬合板との噛み合いや、前記シュートの入口側の内径部に向かう回動可能な邪魔板を設けることで、吊り上げ防止を万全にしようとしている。
【０００４】
しかしがら、このように複数の箇所に吊り上げ防止手段を設けると部品点数が多くなり、製造コストが高くなるという問題があり、また、投入筒の上側に第１咬合板を設けると、開閉扉を全開しても、投入筒の入口が投入口に臨む開口面積を余り大きくできないため、大型の鞄を投入するには、開閉扉や投入筒を大きくしなければならず、夜間金庫の物品投入部分をコンパクトにできないという問題もあった。
【０００５】
本発明は、このような従来の技術的課題を解決すべくなされたものであって、コンパクトで且つ物品の吊り上げ防止効果も優れた夜間金庫を提供することを目的とするものである。
【課題を解決するための手段】
【０００６】
上記目的を達成するため、請求項１に記載の発明の夜間金庫は、夜間投入金庫の側面または近傍に配置された投入口を開閉する回転扉を設け、投入筒を前記回転扉の開閉動に応じて前記夜間投入金庫内で上下回動可能に設け、前記回転扉の開き時に前記投入筒の入口が前記投入口に臨むように構成してなる夜間投入金庫において、前記投入口を囲んで前記夜間投入金庫内に連通するようにガードカバーを設け、このガードカバー内には、前記投入筒を前記回転扉の開閉動に応じて前記ガードカバー内で上下回動可能に設け、前記投入筒には、その出口を開閉可能にする閉止蓋体を設け、前記閉止蓋体には、前記回転扉を開く途次及び全開時に、前記ガードカバーに当接または近接して前記閉止蓋体が前記投入筒の出口を塞いで開き不能となる規制体を設けたものである。
【０００７】
請求項２に記載の発明は、請求項１に記載の夜間金庫において、前記回転扉が前記投入口に対して閉止状態にあるとき、前記投入筒の出口は斜め下向きに開口しており、且つ前記閉止蓋体はその下部側で前記出口に対して離間するように、前記投入筒の背面側に回動可能に装着されているものである。
【０００８】
請求項３に記載の発明は、請求項１または２に記載の夜間金庫において、前記投入筒の出口下端及び前記閉止蓋体の下端には、それぞれ外向きに湾曲させた鋸歯状の吊り上げ防止片が設けられているものである。
【０００９】
請求項４に記載の発明は、請求項１乃至３のいずれかに記載の夜間金庫において、前記回転扉はその下端側を中心に開閉回動可能に設けられ、前記投入筒は前記回転扉の内面に固定されているものである。
【発明の効果】
【００１０】
請求項１に記載の発明によれば、回転扉を開く途次及び全開時には、投入筒と一体的に傾き回動する閉止蓋体がその自重で上向き方向の出口を閉止することになり、また、閉止蓋体の裏面（背面）の規制体がガードカバーに当接または近接して閉止蓋体が投入筒の出口を塞いで開き不能となる。従って、回転扉の開き回動の途次及び全開時においては、入口側から物品乃至は不正行為をする者が棒を押し込んでも閉止蓋体は開かないのである。
【００１１】
請求項２に記載の発明によれば、前記回転扉が前記投入口に対して閉止状態にあるとき、前記投入筒の出口は斜め下向きに開口しており、且つ前記閉止蓋体はその下部側で前記出口に対して離間するように、前記投入筒の背面側に回動可能に装着されているから、回転扉の全閉状態では、ガードカバーと閉止蓋体における規制体の背面との間には大きな隙間が存在するものの、回転扉を少しでも開き回動すれば、投入筒の傾斜と共に規制体の背面とガードカバーとの隙間が狭くなり、この隙間から吊り上げた物品を引き出すことは不能となるという効果を奏する。
【００１２】
請求項３に記載の発明によれば、前記投入筒の出口下端及び前記閉止蓋体の下端には、それぞれ外向きに湾曲させた鋸歯状の吊り上げ防止片が設けられているものである。従って、請求項１または２に記載の発明の効果に加えて、回転扉が全閉に近い状態で、投入筒内を通って吊り下ろした紐が大きく開いた出口から下降し、紐の下端のフックで物品を吊り上げようとすると、出口下端の第１吊り上げ防止片の外向きに湾曲させた鋸歯部や下向きに垂下している閉止蓋体の下端の第２吊り上げ防止片における外向きに湾曲状の鋸歯部のいずれかまたは両方に紐が入り込み、フックや物品は第１及び第２吊り上げ防止片の鋸歯部に邪魔されて、投入筒内に物品を吊り上げて引き込むことが不能となるという効果を奏する。
【００１３】
請求項４に記載の発明によれば、前記回転扉はその下端側を中心に開閉回動可能に設けられ、前記投入筒は前記回転扉の内面に固定されているものであるから、前記作用効果を達成するための構造が極めて簡単で、部品点数も少なくて済み、製造コストを低減できるという効果を奏する。
【発明を実施するための最良の形態】
【００１４】
次に、本発明を具体化した最良の形態について説明する。図１は夜間金庫の概略側断面図、図２は回転扉を閉止した状態の拡大側断面図、図３は図２の III−III 線矢視平断面図、図４は回転扉の内面側から見た投入筒及び閉止蓋体並びに規制体等の斜視図、図５は回転扉を全開した状態の拡大側断面図、図６は回転扉の開閉途中の状態を示す拡大側断面図である。
【００１５】
図１〜図３に示すように、夜間金庫１の庫体２の前面には、横開き式の開閉扉３が設けられ、ダイヤル錠４や図示しないキーによる錠前等にて、通常の金庫のようにロックできる構成が採用されている。この夜間金庫１は一方の室内床面にロッカーボルト６等にて固定され、庫体２の一側面板２ａ（左右側面板もしくは背面板をいう）には、後述するように現金等を入れた鞄、袋等の投入物品９を投入のみできる回転扉５が設けられている。そして、回転扉５を有する一側面板２ａまたは回転扉５のみが室を仕切る壁７の一部を切欠きした穴７ａに露出されるように、夜間金庫１が配置されている（図１参照）。
【００１６】
一側面板（背面板）２ａの上部寄りにボルト１１等で取り付けられた四角状の外枠１０の内径に矩形状の投入口１２が開口され、この投入口１２を開閉するように回転扉５が配置されている。前面に引手１５を有する回転扉５は、その下端と外枠１０とが蝶番等の枢軸１３を介して上下回転可能に連結されている。回転扉５に取り付けられた錠前（ダイヤル錠等）１４のロック杆１４ａは外枠１０の係合溝１０に係脱するものである（図２参照）。
【００１７】
外枠１０の内面（庫体２の内側）には、下方が大きく開放された金属板製の横断面コ字型のガードカバー１６がビス等にて固着されている。ガードカバー１６は、天板１６ａと下後傾斜状の背板１６ｂと天板１６ａ及び背板１６ｂに連設する左右両側板１６ｃとからなり、左右両側板１６ｃの下端には邪魔板１６ｄが内向きに折曲げ形成されている。また、回転扉５の内面には、金属板製の横断面形状がほぼ矩形中空状の投入筒１７が同じくビス等により固着（固定）されている。投入筒１７は、回転扉５の内面に近い位置の第１滑り板１７ａと、この第１滑り板１７ａの下端から後向き下方に延びる第２滑り板としての底板１７ｂと、第１滑り板１７ａと対向する位置の背板１７ｃと、左右両側板１７ｄとからなる。
【００１８】
図２に示すように、投入筒１７の上端が平面視矩形状の入口１９として開口され、背板１７ｃの下端と底板１７ｂの下端との間が後方に向かって開放された出口２０として開口されている。また、回転扉５が直立状（投入口１２を完全閉止した状態）のとき、上記出口２０は、後方且つ下向きになるように傾斜形成されている。実施形態では、背板１７ｃの下端から下ろした鉛直線と出口２０の面とのなす夾角θ１が略１５度程度に設定されている。
【００１９】
投入筒１７の出口２０を開閉する閉止蓋体２１は、その上端縁を投入筒１７の背板１７ｃの下端に蝶番等の横向きの回動支軸２２を介して上下回動可能に装着されている。金属板製の閉止蓋体２１の背面には側面視で三角突条等の金属板製の規制体２３がビスまたは溶接等により固着されている。この規制体２３は閉止蓋体２１の幅寸法、ひいては出口２０の幅寸法（Ｗ１）と略同じ幅寸法を有する（図３参照）。
【００２０】
上記の構成では、回転扉５が投入口１２に対して閉止状態にあるとき、投入筒１７の出口２０は斜め下向きに開口しており、且つ閉止蓋体２１は、その上端の回動支軸２２の回りに回動自在であるから、閉止蓋体２１の自重（規制体２３の自重も含む）によりその下部側で出口２０に対して離間するように吊り下げられることになる。
【００２１】
そして、回転扉５を開く途次には、図６に示すように、投入筒１７と一体的に傾き回動する閉止蓋体２１がその自重で上向き方向の出口２０を閉止することになり、また、閉止蓋体２１の裏面（背面）の規制体２３の最大突出部２３ａがガードカバー１６のうちの下向き傾斜状の背板１６ｂに当接または近接して閉止蓋体２１が投入筒の出口２０を塞いで開き不能となる。そして、回転扉５の上端と投入口１２との隙間が僅かの状態であっても、上述の規制体２３の最大突出部２３ａがガードカバー１６の背板１６ｂの下端部に近接して、出口２０に対する閉止蓋体２１の開き方向の回動量が僅かであるように規制している。
【００２２】
回転扉５の開閉回動の途次には投入筒１７の入口１９が投入口１２に臨み、また、図５に示す回転扉５の全開時には、入口１９は外枠１０より外側に位置する。そして、回転扉５の全開時においても、ガードカバー１６の背板１６ｃに規制体２３の最大突出部２３ａが近接しており、従って、回転扉５の開き回動の途次及び全開時においては、入口１９側から物品９乃至は不正行為をする者が棒を押し込んでも閉止蓋体２１は開かないのである。
【００２３】
さらに、投入筒１７の出口下端、例えば底板１７ｂの下端には、外向き（出口２０の外側に延びるよう）に湾曲させた鋸歯状の金属板製の第１吊り上げ防止片２４がビスまたは溶接固定されている。同様に、閉止蓋体２１の下端にも、外向きに湾曲させた鋸歯状の金属板製の第２吊り上げ防止片２５が固定されている。
【００２４】
外枠１０の内面と回転扉５の内面との間には、回転扉５の全開時の衝撃を緩和するための直動型のガススプリング等の緩衝体２６が装架されている（図２〜図６参照）。また、外枠１０の下部には、回転扉５の下面に当接して、閉止時の衝撃を緩和するためのダンパー２７が設けられている（図２、図５及び図６参照）。さらに、図５に示すように、回転扉５を全開したときの傾斜状姿勢を保持するように、投入筒１７の左右両側板１７ｄの外面に横向きに突設した丸棒状等のストッパー３０が、外枠１０の内面の左右両側に固定された平板状のストッパー片３１に当接するものである。
【００２５】
上記の構成において、夜間金庫１に正規に物品を投入する者は、鍵錠前またはダイヤル錠を操作して、回転扉５を開いて、投入筒１７内に物品９を投入する（図５参照）。この状態では、回転扉５の裏面の投入筒１７における第１滑り板１７ａは夜間金庫１の本体内に向かって下向き状であり、その下端から略水平に底板１７ｂが位置しているので、投入された物品９は底板１７ｂに載置される。そして、このとき、閉止蓋体２１は、その自重で投入筒１７の出口を塞いでいると共に、その閉止蓋体２１の背面の取り付けられた規制体２３の最大突出部２３ａが上向きに突出して、ガードカバー１６の背板１６ｂに近接しているので、閉止蓋体２１を押しても開かない。
【００２６】
回転扉５を全開姿勢から閉じ方向に回動する途次でも、図６に示すように、上記規制体２３の最大突出部２３ａがガードカバー１６の背板１６ｂに近接している。そして、回転扉５を閉止すると、投入筒１７の底板１７ｂは本体２内に向かって下向き傾斜状となり、出口２０の開口面に対して閉止蓋体２１の下面側が自重によって開き、且つ閉止蓋体２１の背面の規制体２３のほぼ全体はガードカバー１６の下端よりも下方に位置するから、投入筒１７内の物品９が底板１７ｂに沿ってすべり落ちて出口２０から出るとき、閉止蓋体２１を押し広げ（図２の二点鎖線状態参照）、円滑に夜間金庫１内に投入できるのである。
【００２７】
ところで、不正者が夜間金庫１の本体２内の物品９を吊り上げようとするときには、下端にフック３３が取り付けられ紐３２を、開いた回転扉５の投入筒１７内に投げ込み、一旦回転扉５を全閉に近い状態（回転扉５の上端縁と投入口１２の上端との隙間で紐３２が自由に動かせる状態）で、紐３２を繰出し、本体２内の底近傍の鞄等の物品９にフック３３を引っ掛け、ついで紐３２を手繰り寄せて、フック３３と共に物品９を投入筒１７内で吊り上げる。この状態で、回転扉５を大きく開き、投入筒１７からフック３３と共に物品９を抜き出すという手口がある。
【００２８】
この手口に対しては、上述の投入筒１７の底板１７ｂの下端（出口２０下端）に設けられた鋸歯状の第１吊り上げ防止片２４と、閉止蓋体２１の下端に設けられた鋸歯状の第２吊り上げ防止片２５とにより、効果的に吊り上げ防止できる。即ち、回転扉５が全閉に近い状態で、投入筒１７内を通って吊り下ろした紐３２が大きく開いた出口２０から下降し、フック３３で物品９を吊り上げようとすると、底板１７ｂの下端（出口２０下端）の第１吊り上げ防止片２４の外向きに湾曲させた鋸歯部や下向きに垂下している閉止蓋体２１の下端の第２吊り上げ防止片２５における外向きに湾曲状の鋸歯部のいずれかまたは両方に紐３２が入り込み、フック３３や物品９は第１及び第２吊り上げ防止片２４、２５の鋸歯部に邪魔されて、投入筒１７内に物品９を吊り上げて引き込むことが不能となる。そして、たとえ、回転扉５を小刻みに開閉動させても、紐３２が第１吊り上げ防止片２４や第２吊り上げ防止片２５から外れることがなく、不正な吊り上げ作業は効果的に防止できる。
【００２９】
不正な手口のその２は、フック３３が取り付けられ紐３２を、開いた回転扉５の投入筒１７の背面または側面等、ガードカバー１６との隙間に投げ込み、本体２の底の物品９を吊り上げて、前記隙間から夜間金庫１外に引き出そうとするものである。しかし、本発明では、回転扉５の全閉状態では、ガードカバー１６の背板１６ｂと閉止蓋体２１における規制体２３の背面との間には大きな隙間が存在するものの、回転扉５を少しでも開き回動すれば、投入筒１７の傾斜と共に規制体２３の背面（最大突出部２３ａ）と背板１６ｂとの隙間が狭くなり、この隙間から物品９を引き出すことは不能となる。また、回転扉５の開き回動量が大きいときには、投入筒１７における背板１７ｃの上端縁１７ｅと投入口１２の上端縁との隙間も小であるように設定しておけば、紐３２の挿入も不可能となる。また、投入筒１７の側板１７ｄとガードカバー１６の側板１６ｃとの隙間にフック３３付き紐３２を挿入しても、ガードカバー１６の側板１６ｃ下端の邪魔板１６ｄにより投入筒１７の側板１７ｄとの隙間が微小に設定されているので、ここからの物品９の吊り上げも不可能となる。
【００３０】
投入筒１７を回転扉５の開閉動に応じて夜間投入金庫１内で上下回動可能に設ける構成として、図示しないリンク機構を介して投入筒１７と回転扉５とを連結しておいても良い。
【図面の簡単な説明】
【００３１】
【図１】夜間金庫の概略側断面図である。
【図２】回転扉の閉止状態の拡大側断面図である。
【図３】図２の III−III 線矢視平断面図である。
【図４】回転扉の内面側から見た投入筒及び閉止蓋体並びに規制体等の斜視図である。
【図５】回転扉を全開した状態の拡大側断面図である。
【図６】回転扉の開閉途中の状態を示す拡大側断面図である。
【符号の説明】
【００３２】
１    夜間金庫
２    本体
５    回転扉
９    物品
１２    投入口
１３    枢軸
１６    ガードカバー
１７    投入筒
１７ｂ    底板
１７ｃ    背板
１９    入口
２０    出口
２１    閉止蓋体
２２    回動支軸
２３    規制体
２３ａ    最大突出部
２４    第１吊り上げ防止体
２５    第２吊り上げ防止体
３２    紐
３３    フック
【図１】
2006152668.tif 000003
【図２】
2006152668.tif 000004
【図３】
2006152668.tif 000005
【図４】
2006152668.tif 000006
【図５】
2006152668.tif 000007
【図６】
2006152668.tif 000008